(57)【特許請求の範囲】
【請求項１】
本体と、この本体に離脱可能な制御パネルとを備え、
前記本体には、記録媒体挿入口の周辺部に設けられた記録媒体案内用の導光部材と、この導光部材を照明する色彩の異なる複数の光源と、この光源の照明を制御する照明用コントローラとを備え、
この照明用コントローラに制御信号を与えることによって前記導光部材の照明色、或いは照明形態を変化させるよう構成され、
前記本体から前記制御パネルを離脱させる際には、盗難防止用暗証コードが前記制御パネルと前記本体との両方に入力され、前記本体に前記制御パネルが装着された際には前記本体の盗難防止用暗証コードと前記制御パネルの盗難防止用暗証コードとが一致しないと操作不可能となるものであり、
前記照明用コントローラによって色彩の異なる複数の前記光源のうちいずれかにより照明中の状態で、前記盗難防止用暗証コードが入力されると、前記照明用コントローラに制御信号が与えられて、照明中の前記光源が消灯されて、別の色彩の前記光源による照明が行われること、
を特徴とする車載用記録媒体再生装置の挿入口照明装置。
【発明の詳細な説明】
【０００１】
【発明の属する技術分野】
本発明は、記録媒体案内用の導光部材を備えた車載用記録媒体再生装置の挿入口照明装置に関する。
【０００２】
【従来の技術】
一般に、記録媒体案内用の導光部材を備えた車載用記録媒体再生装置が知られている。この種の記録媒体再生装置は、図２に示すように、再生装置本体１の前面部に樹脂製のエスカッション３を一体に備えている。このエスカッション３には記録媒体としてのコンパクトディスク（以下、ＣＤという。）５を挿入する挿入口７が形成され、この挿入口７の近傍には一対の照明用の矩形開口９，１１と、円形開口１３とが形成されている。矩形開口９，１１及び円形開口１３には透明樹脂製の導光部材１５，１７，１９がそれぞれ嵌合されている。
【０００３】
再生装置本体１は一対のシャーシ２１，２３と、メイン基板２５と、照明用基板２７とを備えている。メイン基板２５には赤色のＬＥＤ３１が取り付けられ、このＬＥＤ３１は前記導光部材１７を裏面から照明する。
【０００４】
また、メイン基板２５には中継コード３３を介して照明用基板２７が接続され、この照明用基板２７には緑色のＬＥＤ３７，３９が取り付けられ、このＬＥＤ３７，３９は導光部材１５，１９を裏面から照明する。
【０００５】
緑色のＬＥＤ３７，３９は電源が入れば、常時点灯し、ＣＤ５の挿入口７を照明し、ＣＤ５の挿入ガイド灯として機能する。また、赤色のＬＥＤ３１は、盗難防止用暗証コードを入力したときに点灯又は点滅する。
【０００６】
通常、エスカッション３には図示を省略した離脱可能制御パネル（Ｄｅｔａｃｈａｂｌｅ  Ｃｏｎｔｒｏｌ  ｐａｎｅｌ、以下、ＤＣＰという。）が設けられ、前記の盗難防止用暗証コードは、このＤＰＣを取り外す場合に入力される。この暗証コードは、取り外したＤＰＣと再生装置本体１の両方に入力され、以後、この再生装置本体１を操作する場合には、取り外したＤＰＣが装着されて、この暗証コードが一致しない限り、その操作が不可能になる。
【０００７】
【発明が解決しようとする課題】
しかしながら、従来の構成では、それぞれの照明機能のために、それぞれ導光部材１５，１７，１９が必要になるという問題がある。
【０００８】
すなわち、ＣＤ５の挿入ガイド灯としての照明機能の他に、盗難防止用暗証コードを入力したときにそれを照明・表示する機能が必要となれば、そのために導光部材１５，１９の他に、暗証コード入力照明用の導光部材１７が必要になり、その分だけ部品点数が増大するという問題がある。また、従来の構成では、暗証コード入力照明用の導光部材１７が必要の無い機種と、必要のある機種とで、構造上、作り分けしなければならないという問題がある。
【０００９】
そこで、本発明の目的は、上述した課題を解消し、複数の照明機能が必要になったとしても、導光部材の個数を増やすことなく、簡単に機能照明することのできる車載用記録媒体再生装置の挿入口照明装置を提供することにある。
【００１０】
【課題を解決するための手段】
前記目的を達成するために、請求項１記載の発明は、本体と、この本体に離脱可能な制御パネルとを備え、前記本体には、記録媒体挿入口の周辺部に設けられた記録媒体案内用の導光部材と、この導光部材を照明する色彩の異なる複数の光源と、この光源の照明を制御する照明用コントローラとを備え、この照明用コントローラに制御信号を与えることによって前記導光部材の照明色、或いは照明形態を変化させるよう構成され、前記本体から前記制御パネルを離脱させる際には、盗難防止用暗証コードが前記制御パネルと前記本体との両方に入力され、前記本体に前記制御パネルが装着された際には前記本体の盗難防止用暗証コードと前記制御パネルの盗難防止用暗証コードとが一致しないと操作不可能となるものであり、前記照明用コントローラによって色彩の異なる複数の前記光源のうちいずれかにより照明中の状態で、前記盗難防止用暗証コードが入力されると、前記照明用コントローラに制御信号が与えられて、照明中の前記光源が消灯されて、別の色彩の前記光源による照明が行われることを特徴とするものである。
【００１２】
これらの発明では、照明用コントローラに制御信号を与えることによって案内用導光部材の照明色、或いは照明形態を変化させるので、照明色或いは照明形態の変化によって、複数の照明機能を表示することができる。従って、複数の照明機能が必要になっても導光部材の個数を増やす必要がない。
【００１３】
【発明の実施の形態】
以下、本発明による挿入口照明装置の一実施形態を、図２と同一部分には同一符号を付して示した図１を参照して説明する。
【００１４】
図１において、符号１は再生装置本体１を示す。この再生装置本体（以下、ＣＤプレーヤという。）１の前面部には、樹脂製のエスカッション３が取り付けられている。このエスカッション３には記録媒体としてのコンパクトディスク（以下、ＣＤという。）５を挿入する挿入口７が形成され、この挿入口７の近傍には一対の照明用の矩形開口９，１１が形成されている。この矩形開口９，１１には透明樹脂製の案内用の導光部材１５，１９がそれぞれ嵌合されている。
【００１５】
ＣＤプレーヤ１は一対のシャーシ２１，２３と、メイン基板２５とを備えている。このメイン基板２５には中継コード３３を介して照明用基板３５が接続され、この照明用基板３５はねじ３６を介してエスカッション３の裏面に固定されている。この照明用基板３５の一端には緑色のＬＥＤ３７が取り付けられ、照明用基板３５の他端には緑色のＬＥＤ３９、及び赤色のＬＥＤ３８が取り付けられている。緑色のＬＥＤ３７は導光部材１５を裏面から照明するとともに、緑色のＬＥＤ３９、及び赤色のＬＥＤ３８は導光部材１９を裏面から照明する。
【００１６】
緑色のＬＥＤ３７，３９は電源が入れば、常時点灯し、ＣＤ５の挿入口７を照明し、ＣＤ５の挿入ガイド灯として機能する。また、赤色のＬＥＤ３８は、盗難防止用暗証コードを入力したときに点灯又は点滅する。この制御は照明用基板３５に取り付けられた照明用コントローラ（図示せず）が司る。
【００１７】
通常、エスカッション３には図示を省略した離脱可能制御パネル（Ｄｅｔａｃｈａｂｌｅ  Ｃｏｎｔｒｏｌ  ｐａｎｅｌ、以下、ＤＣＰという。）が設けられ、前記の盗難防止用暗証コードは、このＤＰＣを取り外す場合に入力される。この暗証コードは、取り外したＤＰＣとＣＤプレーヤ１の両方に入力され、以後、このＣＤプレーヤ１を操作する場合には、取り外したＤＰＣが装着されて、この暗証コードが一致しない限り、その操作が不可能になる。
【００１８】
従って、盗難防止用暗証コードを入力してからＤＰＣを取り外して降車した場合、ＣＤプレーヤ１が盗難にあったとしても、暗証コードが一致しないため、盗難したＣＤプレーヤ１を、別のＤＰＣで操作することはできない。
【００１９】
この実施形態では、盗難防止用暗証コードを入力したときに、赤色のＬＥＤ３８が点滅するので、運転者は、それを確認してから、ＤＰＣを取り外すことも可能な場合もあるので、盗難防止の機能を向上させることができる。
【００２０】
この実施形態では、電源が投入されると、緑色のＬＥＤ３７，３９が常時点灯し、ＣＤ５の挿入口７を照明し、ＣＤ５の挿入ガイド灯として機能する。これに対し、盗難防止用暗証コードが入力された場合には、照明用コントローラ（図示せず）に当該制御信号が与えられ、緑色のＬＥＤ３７，３９が消灯し、赤色のＬＥＤ３８が点滅する。これによれば、１つの導光部材１９を用いて、この導光部材１９の照明色（緑色から赤色）、及び照明形態（点灯から点滅）を変化させているので、照明色及び照明形態の変化によって、複数の照明機能を表示することができる。従って、複数の照明機能が必要になっても導光部材の個数を増やす必要がなく、その分だけ部品点数を減少させることができる。
【００２１】
暗証コード入力照明用の赤色のＬＥＤ３８が不必要な機種がある。この場合には、赤色のＬＥＤ３８を実装しなければよい。１つの導光部材１９を共通化しているので、赤色のＬＥＤ３８の実装の有無で機種分けすることができ、構造を簡素化することができる。前記の実施形態では、導光部材１５，１９を挿入口７の下辺両端に配置しているが、これに限定されず、導光部材は、２色のＬＥＤ３８，３９が配置された導光部材１９のみであってもよい。
【００２２】
この実施形態では、赤色のＬＥＤ３８を、導光部材１９の真裏に設置できるので、高輝度を確保することができ、とりわけ高輝度の要求される赤色のＬＥＤ３８の発光・点滅時に有利に作用する等の効果が得られる。
【００２３】
なお、以上の実施形態では、導光部材１９の照明色、及び照明形態の両方を変化させているが、これに限定されず、照明色、又は照明形態のいずれかを変化させるだけでもよいことは明らかである。
【００２４】
【発明の効果】
これらの発明では、照明用コントローラに制御信号を与えることによって案内用の導光部材の照明色、或いは照明形態を変化させるので、照明色、或いは照明形態の変化によって複数の照明機能を表示することができる。
【００２５】
従って、複数の照明機能が必要になっても導光部材の個数を増やす必要がなく、その分だけ部品点数を削減することができる。
【図面の簡単な説明】
【図１】本発明の一実施形態を示す斜視図である。
【図２】従来の構成を示す斜視図である。
【符号の説明】
１  ＣＤプレーヤ（再生装置本体）
３  エスカッション
５  記録媒体（コンパクトディスク）
７  挿入口
９，１１  矩形開口
１５，１９  案内用導光部材
２１，２３  シャーシ
２５  メイン基板
３５  照明用基板
３７，３９  緑色のＬＥＤ
３８  赤色のＬＥＤ
【図１】
0004076640.tif 000002
【図２】
0004076640.tif 000003